(57)【要約】【課題】    プレビュー等の視聴情報を適切に加工してユーザに提供することのできるシステムを提供する。【解決手段】  映像及び音声を再生する携帯情報端末１との距離を測定し、携帯情報端末が近接した位置にあるか否かを判断する近接判断部２０３を有するセンサ部と、前記近接判断部が、携帯情報端末が近接した位置にあることを判断したとき、視聴情報保持部２５０が保持する視聴情報を、携帯情報端末から受信した携帯情報端末の認証情報１０３にしたがって加工して前記携帯情報端末１に送信するサーバ部とを備えた。【選択図】  図１
2006080773.tif 000002
【特許請求の範囲】
【請求項１】
映像及び音声を再生する携帯情報端末との距離を測定し、携帯情報端末が近接した位置にあるか否かを判断する近接判断部を有するセンサ部と、
前記近接判断部が、携帯情報端末が近接した位置にあることを判断したとき、視聴情報保持部が保持する視聴情報を、携帯情報端末から受信した携帯情報端末の認証情報にしたがって加工して前記携帯情報端末に送信するサーバ部とを備えたことを特徴とするサーバ装置。
【請求項２】
請求項１記載のサーバ装置において、
携帯情報端末から認証情報を受信する認証情報受信部及び受信した携帯情報端末の認証情報にしたがって加工した前記視聴情報を携帯情報端末に送信する視聴情報送信部を備えたことを特徴とするサーバ装置。
【請求項３】
請求項１記載のサーバ装置において、
サーバ部は、認証情報受信部が受信した認証情報に含まれる識別情報をもとに前記視聴情報に対するアクセス権の有無を判断し、アクセス権を有する携帯情報端末にのみ前記視聴情報を送信することを特徴とするサーバ装置。
【請求項４】
請求項１記載のサーバ装置において、
サーバ部は、認証情報受信部が受信した認証情報に含まれる属性情報にしたがって前記視聴情報を加工する視聴情報加工部を備えたことを特徴とするサーバ装置。
【請求項５】
請求項４記載のサーバ装置において、
視聴情報加工部は、前記認証情報に含まれる属性情報に対応して加工情報を格納した加工情報テーブルを備えたことを特徴とするサーバ装置。
【請求項６】
請求項５記載のサーバ装置において、
加工情報は、視聴情報を指定された時間長になるように圧縮または伸張する情報であることを特徴とするサーバ装置。
【請求項７】
請求項１記載のサーバ装置において
センサ部は、広告媒体に取り付けたことを特徴とするサーバ装置。
【請求項８】
請求項５記載のサーバ装置において
近接判断部は、広告媒体に取り付けた近接通信手段であることを特徴とするサーバ装置。
【請求項９】
映像及び音声を再生する視聴部、並びに識別情報及び属性情報を格納した認証情報テーブルを備えた携帯情報端末と、
前記携帯情報端末との距離を測定し、携帯情報端末が近接した位置にあるか否かを判断する近接判断部を有するセンサ部、及び視聴情報を格納した視聴情報保持部を有するサーバ部とを備えたサーバ装置を備え、
前記近接判断部が、携帯情報端末が近接した位置にあることを判断したとき、視聴情報保持部が保持する視聴情報を、携帯情報端末から受信した携帯情報端末の認証情報にしたがって加工して該携帯情報端末に送信することを特徴とするサーバ装置を用いた視聴システム。
【請求項１０】
視聴情報を保持する視聴情報保持部と、
無線あるいは有線により携帯情報端末と通信する通信部と、
携帯情報端末から認証情報を受信し、受信した認証情報から識別情報および属性情報を取得する識別情報取得部および認証情報取得部と、
識別情報に含まれるアクセス権を表す情報に基づいて前記視聴情報保持部に保持した視聴情報を取得する視聴情報取得部と、
取得した視聴情報を前記属性情報に基づいて加工する視聴情報加工部と、
加工した視聴情報を携帯情報端末に送信する視聴情報送信部を備えたことを特徴とするサーバ装置。
【発明の詳細な説明】
【技術分野】
【０００１】
本発明は、サーバ装置を用いた視聴技術にかかり、特に、視聴情報を加工して配信することのできる視聴技術に関する。
【背景技術】
【０００２】
近年、携帯電話などの携帯情報端末のネットワーク接続機能はますます高度化し、例えば、Ｅメールや端末間通信などを用いて、いつでも、どこでも他者とコミュニケーションをとることが可能となっている。また、端末上での映像視聴が可能になるなど、ユーザの多様なニーズに対応して日常生活の中で欠かせないものとなりつつある。持ち歩くことを前提とするため、携帯情報端末には個人を識別するための仕組みが搭載され、例えば電子マネーやクレジットカードなどのセキュリティー機能を必須とするアプリケーションが搭載される。
【０００３】
また、家庭内においては、インターネット接続機能を備え、更にはハードディスク、ＤＶＤあるいは次世代光ディスク等の大容量記憶媒体を搭載したハードディスクレコーダ付きホームサーバが登場した。これらを中核とした次世代の映像情報システムにおいては映像情報の視聴環境が高度化してきた。また、有料コンテンツの配信サービスに伴い、これらのビジネスの拡大が予想される。
【０００４】
このような状況の中で、有料コンテンツの視聴ビジネスを考えた場合、ユーザにアピールするための機能としてコンテンツのプレビュー機能が挙げられる。プレビューは、コンテンツプロバイダが提供するコンテンツの一部を再編し、ユーザに試し視聴することができるようにした視聴情報である。ユーザが使用するモニタ装置に表示するプレビューは、コンテンツ配信装置によりあらかじめ生成しておく必要があり、スポンサーやユーザに対する訴求効果を高めておく必要がある。
【０００５】
このような要求を満たすためには、たとえば、特許文献１に示すように、スポンサーやユーザの指定したコンテンツのプレビューを生成することにより対処することができる。
【特許文献１】特開２００２−２１５５０２号公報
【発明の開示】
【発明が解決しようとする課題】
【０００６】
しかし、前記特許文献に示される方法では、プレビューを見るたびにスポンサーあるいはユーザはプレビュー生成のための指示を与えねばならず、簡便性において問題がある。さらに、ここで開示された技術は携帯電話のような携帯情報端末上でプレビューを見るという状況について考慮されたものではない。
【０００７】
本発明は、これらの問題点に鑑みてなされたもので、プレビュー等の視聴情報を適切に加工してユーザに提供することのできるシステムを提供するものである。
【課題を解決するための手段】
【０００８】
本発明は上記課題を解決するため、次のような手段を採用した。
【０００９】
映像及び音声を再生する携帯情報端末との距離を測定し、携帯情報端末が近接した位置にあるか否かを判断する近接判断部を有するセンサ部と、前記近接判断部が、携帯情報端末が近接した位置にあることを判断したとき、視聴情報保持部が保持する視聴情報を、携帯情報端末から受信した携帯情報端末の認証情報にしたがって加工して前記携帯情報端末に送信するサーバ部とを備えた。
【発明の効果】
【００１０】
本発明は、以上の構成を備えるため、プレビュー等の視聴情報を適切に加工してユーザに提供することができる。
【発明を実施するための最良の形態】
【００１１】
以下、最良の実施形態を添付図面を参照しながら説明する。図１は、本発明の実施形態にかかる映像視聴システムを説明する図である。映像視聴システムは、携帯情報端末１およびサーバ装置２から構成される。
【００１２】
携帯情報端末１は、サーバ装置２と通信を行う通信部１００、ユーザ３を認証する情報である認証情報１０３が複数格納された認証情報テーブル１０２を保持する認証情報保持部１０１、通信部１００を介してサーバ装置２に該認証情報１０３を送信する認証情報送信部１１０、サーバ装置２から送られてくる視聴情報２５１を受信する視聴情報受信部１０６および視聴情報２５１を端末１内の記憶装置に保持する視聴情報保持部１０５、並びに視聴情報２５１の動画・音声を再生する動画・音声再生装置１０８および視聴情報２５１の付帯情報であるメタデータを再生するメタデータ再生装置１０９を備えた視聴部１０７から構成される。
【００１３】
認証情報１０３は、ユーザ３の名称、どのような情報にアクセスする権利を有するかを示す識別情報３２０およびユーザ３の属性を示す属性情報３３０から構成される。これら識別情報３２０および属性情報３３０については後述する。
【００１４】
サーバ装置２は、前記携帯情報端末１と通信を行う通信部２００、視聴情報２５１をサーバ装置２に内蔵する記憶装置に保持する視聴情報保持部２５０、携帯情報端末１とサーバ装置２との距離を測定する距離測定部２０２、距離が近いか否かを判断する近接判断部２０３、近接判断部２０３が近接していると判断した場合に通信部２００を用いて認証情報１０３を携帯情報端末１から受信する認証情報受信部２０１、認証情報１０３から識別情報３２０を取得する識別情報取得部２５４、認証情報１０３から属性情報３３０を取得する属性情報取得部２５６、識別情報３２０を参照して各視聴情報２５１へのアクセス権の有無を判断するアクセス可否判断部２５５、アクセス可否判断部２５５でアクセス可能であると判断した視聴情報２５１を視聴情報保持部２５０から取得する視聴情報取得部２５８、並びに属性情報３３０に従ってどのように加工するかを記述した加工情報３４０〜３４１を複数格納した加工情報テーブル２５９を備え、視聴情報２５１を属性情報３３０と加工内容テーブル２５９に格納された加工情報３４０〜３４１に従って加工する視聴情報加工部２５７、および該視聴情報２５１を通信部２００を介して端末１に送信する視聴情報送信部２０４とを備える。
【００１５】
視聴情報２５１は、ユーザ３が視聴する動画像や付帯情報のデータの集まりであり、動画お帯及び音声のバイナリデータである動画情報２５２と動画情報２５２に付属して情報を補完するデータであるメタデータ２５３とから構成される。例えば、アナログ放送あるいはデジタル放送の動画像のストリーム情報やケーブルテレビの動画像、あるいは映画などのコンテンツを試聴するためのプレビューデータなどである。動画情報２５２は、一般に動画をＣＰＵあるいはデコーダ装置により処理することにより時間経過に従い静止画が順次変化することにより、ユーザ３が動く映像としてみることのできる動画データ及び音波を数値で表してデジタルデータとしたもの、あるいは音波を単位時間ごとにサンプリングすることにより得られる離散データの集合であるバイナリデータである。これらのデータは、たとえば、ＭＰＥＧ形式やＡＶＩ形式などのフォーマットやＧＩＦアニメのような静止画の集合データであってもよい。メタデータ２５３は、前記動画情報２５２に付帯して添付される補完用データであり、たとえば動画情報２５２の説明文のテキストや音声データ、あるいはＨＴＭＬ、ＨＤＭＬなどのハイパーテキストなどである。要するに、動画情報２５２を補足するバイナリデータであればどのような情報であってもよい。
【００１６】
図２は、映像視聴システムの他の例を説明する図である。この例では、サーバ装置２のセンサ部４とサーバ部５とを物理的に分離している。この場合には、センサ部２のみあるいは距離測定部のみをポスター等の広告媒体に近接して配置することができる。この場合、ユーザは携帯情報端末をポスターに近づけるのみで、ポスターに関連する情報を携帯情報端末に格納することができる。
【００１７】
図３は、認証情報テーブル１０２を説明する図である。認証情報保持部１０１が保持する認証情報テーブル１０２には、認証情報を有効にするためのＰＩＮ情報３０１および複数の認証情報（３１０〜３１１）を備える。ＰＩＮ情報３０１は、たとえばユーザインタフェースを使用してユーザが入力するパスワードなどの情報（Personal Identification Number）である。ユーザはＰＩＮ情報３０１を指定することにより認証情報テーブル１０２から認証情報（３１０〜３１１）を取得することができる。前述のように、認証情報１０３は認証情報テーブル１０２に複数格納され、各認証情報は識別情報３２０と属性情報３３０とから構成される。認証情報テーブル１０２に複数の認証情報を格納することにより、ユーザ３は視聴情報２５１に対して複数のアクセス権あるいは属性を持つことができる。
【００１８】
図４は、識別情報３２０及び属性情報３３０を説明する図である。識別情報３２０は、ＰＩＮ情報３２１、識別ＩＤ３２２、個人情報３２３、及びアクセス権３２４から構成される。ＰＩＮ情報３２１は認証情報テーブル１０２のＰＩＮ情報３０１と同じように認証情報３２０にアクセスするためのパスワードなどの情報である。識別ＩＤ３２２はユニークな数値であり、識別情報３２０を特定する識別子である。個人情報３２３は、ユーザ３がどのような人物であるかを示す情報であり、たとえばユーザ３の名称やメールアドレスなどのユーザ３自身が持つ情報である。アクセス権３２４は視聴情報保持部２５１が保持する複数の視聴情報２５１のうち、取得可能であるものはどれかを特定する情報である。視聴情報２５１をアクセス可能にするアクセス権３２４を指定することにより、視聴情報保持部２５０から視聴情報２５１を取得することが可能となる。
【００１９】
属性情報３３０は、ユーザ３がもつ属性を現す情報であり、視聴情報２５１をどのように加工すればよいかを指示する情報である。属性情報３３０はＰＩＮ情報３３１、属性ＩＤ３３２、０または１個の画質ＩＤ３３３、０または１個の音質ＩＤ３３４、０または１個のサイズＩＤ３３５及び０または１個の時間ＩＤ３３６とから構成される。
【００２０】
ＰＩＮ情報３３１は、認証情報テーブル１０２のＰＩＮ情報３０１と同じように属性情報３３０にアクセスするためのパスワードなどの情報である。属性ＩＤ３３２は、ユニークな数値であり属性情報３３０を特定する識別子である。画質ＩＤ３３３は、後述の加工情報テーブル２５９に格納されている加工情報３４０〜３４１を参照する際に用いられる識別子であり、ある特定の画質情報を指定するために用いられるユニークな値である。音質ＩＤ３３４は、後述の加工情報テーブル２５９に格納されている加工情報３４０〜３４１を参照する際に用いられる識別子であり、ある特定の音質情報を指定するために用いられるユニークな値である。サイズＩＤ３３５は、後述の加工情報テーブル２５９に格納されている加工情報３４０〜３４１を参照する際に用いられる識別子であり、ある特定のサイズ情報を指定するために用いられるユニークな値である。時間ＩＤ３３６は、後述の加工情報テーブル２５９に格納されている加工情報３４０〜３４１を参照する際に用いられる識別子であり、ある特定の時間情報を指定するために用いられるユニークな値である。  画質ＩＤ３３３、音質ＩＤ３３４、サイズＩＤ３３５及び時間ＩＤ３３６は、いずれも、かならずしも属性情報３３０に含まれている必要はなく、属性情報３３０に含まれていない識別子については、その情報を特に指定しないということを意味する。よって、画質、音質、サイズ、時間すべてを指定するような属性情報３３０があったり、あるいは画質、音質、サイズ、時間のいずれも指定しないような属性情報３３０が存在してよい。
【００２１】
図５は、視聴情報加工部２５７が保持する加工情報テーブル２５９、及び加工情報３４０〜３４１を説明する図である。
【００２２】
加工情報テーブル２５９は、複数の加工情報３４０〜３４１から構成される。それぞれの加工情報３４０〜３４１は、属性情報３３０の属性ＩＤ３３２、画質ＩＤ３３３、音質ＩＤ３３４、サイズＩＤ３３５及び時間ＩＤ３３６に対応して、どのように視聴情報２５１の動画情報２５２及びメタデータ２５３を加工するかを指示する情報である。
【００２３】
各加工情報３４０〜３４１は、属性ＩＤ３５０、加工ＩＤ３５１及び加工指示情報３５２とから構成されている。属性ＩＤ３５０は属性情報３３０の属性ＩＤ３３２と対応し、同じ値であればその加工情報３４０〜３４１は属性情報３３０に基づいてどのように加工したらよいか指示する情報であることを示す。
【００２４】
加工ＩＤ３５１は、画質ＩＤ、音質ＩＤ、サイズＩＤ、時間ＩＤの４種類のいずれかであり、それぞれ属性情報３３０の画質ＩＤ３３２、音質ＩＤ３３４、サイズＩＤ３３５及び時間ＩＤ３３６に対応する。属性ＩＤ３５０と加工ＩＤ３５１が、属性情報３３０の属性ＩＤ３３２、画質ＩＤ３３２、音質ＩＤ３３４、サイズＩＤ３３５及び時間ＩＤ３３６と一致した場合、次に続く加工指示情報３５２に従って視聴情報加工部２５７により視聴情報２５１を加工する。
【００２５】
加工指示情報３５２は、加工ＩＤ３５１の種類により、画質情報であったり、音質情報であったり、サイズ情報であったり、時間情報であったりする。画質情報の場合、たとえば、動画に対しモザイクをかけたりするような画像効果を動画情報２５２に対し加えることを意味する。音質情報の場合、たとえば、イコライザの各周波数ごとの合成値を数値で表したものであったりする。これにより動画情報２５２に含まれる音声に対し、該イコライザの設定値をもってイコライズを行うことを意味する。サイズ情報の場合、動画情報２５２、及びメタデータ２５３のバイナリデータの情報量を、そのサイズ情報にあわせてＺバイトに圧縮・伸張する、あるいは、動画情報２５２の縦横のピクセルサイズをそれぞれＸピクセル、Ｙピクセルに伸縮するということを意味する。時間情報である場合、たとえば、視聴情報２５１の総演奏時間がｘｘ分になるように視聴情報２５１を圧縮・伸張する、あるいはｈ時ｍ分まで演奏するよう制限をかけたりすることを意味する。つまり、加工指示情報３５２は視聴情報加工部２５７が視聴情報２５１をどのように加工するかを示すデータである。
【００２６】
図６は、図１に示す映像視聴システムの処理を説明する図である。以下、携帯情報端末１をサーバ装置２に近づけることにより個人認証を行い、ユーザ３の手元で視聴情報２５１を視聴可能とする動作について説明する。
【００２７】
まず、携帯情報端末１、サーバ装置２をそれぞれ起動する（ステップ１０００，２０００）。携帯情報端末１は、サーバ装置２に対し通信部１００の通信プロトコルの定める通信開始手順に基づいて探信を行う（ステップ１００１）。サーバ装置２は、この探信を通信部２００を用いて受信し、携帯情報端末１とサーバ装置２との距離を測定する（ステップ２００１）。この距離は、例えば無線であれば物理的な距離であり、有線であればＩＰプロトコルによるルータホップ数である。つまり、論理的な距離を数値として測定できればよい。ステップ２００１で測定した距離が、あらかじめサーバ装置２で設定しておいた一定値より大きい場合には、ステップ２００１へもどり距離測定を繰り返す（ステップ２００２）。もし一定値よりも小さい場合には、携帯情報端末１がサーバ装置２に近接したと判断し、ステップ２００３へ移行する。サーバ装置２は、近接したと判断した場合、携帯情報端末１に対し通信部を用いて認証情報１０３をサーバ装置２に送信するよう要求を送信する（ステップ２００３）。携帯情報端末１は、通信部１００を介して認証情報１０３の送信要求を受信したら（ステップ１００２）、ステップ１００４に移行する。そうでない場合にはステップ１００８へ移行する。
【００２８】
ステップ１００２において、認証情報１０３の送信要求を受信した場合、携帯情報端末１の記憶装置に保持されている認証情報テーブル１０２から、認証情報１０３を取得する（ステップ１００４）。このとき、ユーザ３は携帯情報端末１のユーザインタフェースを用いて、図３で説明したＰＩＮ情報３０１を入力し、認証情報１０３を取得する。次に取得した認証情報１０３を通信部１００を用いてサーバ装置２に送信する（ステップ１００５）。サーバ装置２は、携帯情報端末１の通信部１００により送信された認証情報１０３を、通信部２００を介して受信する（ステップ２００４）。そして、認証情報１０３に含まれる識別情報３２０を取得する。識別情報３２０を取得する際、携帯情報端末１で入力されたＰＩＮ情報３０１を参照してＰＩＮ情報３２１を照合し、一致している場合に識別情報３２０を有効にする（ステップ２００５）。ついで、識別情報３２０から識別ＩＤ３２２、個人情報３２３、アクセス権３２４を取得する（ステップ２００６）。次いで、サーバ装置２の視聴情報保持部２５０に保存されている視聴情報２５１に対するアクセス権の有無を調べ、該アクセス権３２４により取得可能か否かを判断し（ステップ２００７）、取得不可であれば認証に失敗したとしてステップ２００１からやり直しを行う。もし取得可能であれば、視聴情報２５１を視聴情報保持部２５０から取得する（ステップ２００８）。
【００２９】
次に、認証情報１０３から属性情報３３０を取得する。属性情報３３０を取得する際、携帯情報端末１で入力されたＰＩＮ情報３０１を参照してＰＩＮ情報３３１を照合し、一致している場合に識別情報３３０を有効にする（ステップ２００９）。そして、属性情報３３０からＰＩＮ情報３３１、属性ＩＤ３３２、画質ＩＤ３３３、音質ＩＤ３３４、サイズＩＤ３３５及び時間ＩＤ３３６を取得して視聴情報の加工処理を行う（ステップ２１００）。視聴情報の加工処理（ステップ２０１０）については後述する。ついで、視聴情報の加工処理（ステップ２１００）で加工された視聴情報２５１を、サーバ装置２の通信部２００を用いて携帯情報端末１に送信し（ステップ２０１１）、ステップ２００１に戻り距離測定を繰り返す。
【００３０】
携帯情報端末１は、ステップ２０１０でサーバ装置２が送信した視聴情報２５１を受信し（ステップ１００６）、該視聴情報２５１を携帯情報端末１の記憶装置に保持する（ステップ１００７）。このときユーザ３が該視聴情報２５１を視聴するようにユーザインタフェースを用いて指示しない場合にはステップ１００１から繰り返す（ステップ１００８）。ユーザ３が視聴情報２５１を視聴するようユーザインタフェースを用いて指示した場合、視聴情報保持部１０５から該視聴情報２５１を取得し（ステップ１００９）、携帯情報端末１の動画・音声再生装置１０８及びメタデータ再生装置１０９を用いて視聴情報２５１に含まれる動画・音声及びメターデータを再生する（ステップ１０１０）。
【００３１】
以上説明したように、携帯情報端末１をサーバ装置２に近づけることにより個人認証を行い、ユーザ３の手元で視聴情報２５１を視聴することが可能となる。
【００３２】
図７は、携帯情報端末１に格納されたユーザ３の属性に応じて視聴情報２５１を加工する処理を説明する図である。
【００３３】
まず、ユーザ３は携帯情報端末１のユーザインタフェースを用いて、図４で説明したＰＩＮ情報３３１を入力し、属性情報３３０を取得する。もしＰＩＮ情報３３１が一致しない場合（ステップ２１０１）、視聴情報２５１の加工処理２１００を終了する（ステップ２１１７）。一致する場合は、認証情報１０３の属性情報３３０を取得する（ステップ２１０２）。ここでは、属性ＩＤ３３２、画質ＩＤ３３３、音質ＩＤ３３４、サイズＩＤ３３５、時間ＩＤ３３６を取得する。これらのうちいずれかが存在しない場合には取得しなくてもよい。
【００３４】
次に、視聴情報加工部２５７が保持する加工情報テーブル２５９を順次検索し、加工情報があるかないかを判断する（ステップ２１０３）。もし加工情報がなければ加工処理２１００を終了する（ステップ２１１７）。加工情報がある場合、加工情報３４０〜３４１を取得する（ステップ２１０４）。ここで、取得した加工情報の属性ＩＤ３５０を参照し、前記属性情報３３０の属性ＩＤ３３２と一致するか否かを判断する（ステップ２１０５）。一致しないならば次の加工情報３４０〜３４１を取得するためステップ２１０３へ移行する。一致する場合、次に加工情報３４０〜３４１の加工ＩＤ３５１を参照し、属性情報３３０の画質ＩＤ３３３と一致するか否かを判断する（ステップ２１０６）。一致する場合、加工指示情報３５２から画質情報を取得する（ステップ２１０７）。
【００３５】
次に、加工情報３４０〜３４１の加工ＩＤ３５１を参照し、属性情報３３０の音質ＩＤ３３４と一致するか否かを判断する（ステップ２１０８）。一致する場合、加工指示情報３５２から音質情報を取得する（ステップ２１０９）。次に、加工情報３４０〜３４１の加工ＩＤ３５１を参照し、属性情報３３０のサイズＩＤ３３５と一致するか否かを判断する（ステップ２１０１）。一致する場合、加工指示情報３５２からサイズ情報を取得する（ステップ２１１１）。次に、加工情報３４０〜３４１の加工ＩＤ３５１を参照し、属性情報３３０の時間ＩＤ３３６と一致するか否かを判断する（ステップ２１０１２）。一致する場合、加工指示情報３５２から時間情報を取得する（ステップ２１１１）。
【００３６】
ここまでのステップで、属性情報３３０の指示する加工指示情報３５２をすべて取得することができる。次に、加工指示情報３５２のサイズ情報、時間情報、及び、視聴情報２５１の総データ量とから、単位時間当たりのデータ量を計算する（ステップ２１１４）。次に、単位時間当たりのデータ量、画質情報、音質情報とから、視聴情報２５１をどの程度圧縮すれば目的とする加工が実現できるかを計算し、圧縮率を数値として計算する（ステップ２１１５）。次に、この圧縮率の数値に基づき、視聴情報２５１を一旦伸張した上で再度圧縮しなおすことにより視聴情報２５１の圧縮率を変更し（ステップ２１１６）、視聴情報２５１の加工処理２１００を終了する（ステップ２１１７）。これにより、携帯情報端末１のユーザ３の属性に応じて視聴情報２５１を加工する動作を実現することができる。
【００３７】
以上説明したように、本実施形態によれば、携帯情報端末１をサーバ装置２に近づけることにより個人認証を行い、さらには、サーバ装置に格納した視聴情報にユーザの属性に応じた加工を加えてプレビューを作成し、作成したプレビューを携帯端末に送信することができる。
【図面の簡単な説明】
【００３８】
【図１】本発明の実施形態にかかる映像視聴システムを説明する図である。
【図２】映像視聴システムの他の例を説明する図である。
【図３】認証情報テーブルを説明する図である。
【図４】識別情報及び属性情報を説明する図である。
【図５】視聴情報加工部が保持する加工情報テーブル及び加工情報を説明する図である。
【図６】図１に示す映像視聴システムの処理を説明する図である。
【図７】携帯情報端末に格納されたユーザの属性に応じて視聴情報を加工する処理を説明する図である。
【符号の説明】
【００３９】
１  携帯情報端末
２，５  サーバ装置
４  センサ部
５  サーバ部
１００  通信部
１０１  認証情報保持部
１０２  認証情報テーブル
１０３  認証情報
１０５  視聴情報保持部
１０６  視聴情報受信部
１０７  視聴部
１０８  動画・音声再生装置
１０９  メタデータ再生装置
２００  通信部
２０１  認証情報受信部
２０２  距離測定部
２０３  近接判断部
２０４  視聴情報送信部
２５０  視聴情報保持部
２５１  視聴情報
２５２  動画情報
２５３  メタデータ
２５４  識別情報取得部
２５５  アクセス可否判断部
２５６  属性情報取得部
２５７  視聴情報加工部
２５８  視聴情報取得部
２５９  加工情報テーブル
２３０  転送部
【図１】
2006080773.tif 000003
【図２】
2006080773.tif 000004
【図３】
2006080773.tif 000005
【図４】
2006080773.tif 000006
【図５】
2006080773.tif 000007
【図６】
2006080773.tif 000008
【図７】
2006080773.tif 000009